【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
二次電池の過充電、過放電、及び過電流のうち少なくとも一つを検出して、前記二次電池の充放電制御を行う保護回路と、前記二次電池の電池残量を算出し、前記二次電池の過充電、過放電、及び過電流のうち少なくとも一つを検出し、検出結果に応じて、前記保護回路に前記二次電池の充放電制御を行わせるための制御信号を出力する二次電池監視回路と、を有する保護監視回路であって、
前記二次電池監視回路は、
前記保護回路が検出した二次電池の過充電、過放電、及び過電流のそれぞれの検出に対応する信号を前記保護回路から取得してカウントし、カウントしたそれぞれの検出回数を保持し、前記検出回数が所定回数を超えた場合に、前記保護回路に対して前記制御信号を出力することを特徴とする保護監視回路。
【請求項２】
前記保護回路は、前記二次電池監視回路から出力された制御信号に応じて、前記二次電池と負荷又は充電装置との間に設けられた充電制御トランジスタ又は放電制御トランジスタを強制的にオフ制御することを特徴とする請求項１に記載の保護監視回路。
【請求項３】
前記保護回路が前記二次電池の過充電、過放電、及び過電流を検出するために設定される各閾値は、前記二次電池監視回路が前記二次電池の過充電、過放電、及び過電流を検出するために設定される各閾値とそれぞれ異なることを特徴とする請求項１又は２に記載の保護監視回路。
【請求項４】
前記二次電池監視回路は、前記保護回路に対して動作状態を問合わせる動作状態問合わせ信号を出力し、
前記保護回路は、前記問合わせ信号を受信すると、前記二次電池監視回路に対して前記保護回路の動作状態を通知する動作状態通知信号を出力することを特徴とする請求項１乃至３のいずれか一項に記載の保護監視回路。
【請求項５】
前記保護回路は、前記二次電池の過充電、過放電、及び過電流のうち少なくとも一つを検出すると、前記二次電池監視回路に対して検出した旨を通知する通知信号を出力し、
前記二次電池監視回路は、不揮発性メモリを有し、前記通知信号又は前記動作状態通知信号を受信すると、前記検出した旨を示す情報又は前記動作状態を示す情報を前記不揮発性メモリに記録することを特徴とする請求項４に記載の保護監視回路。
【請求項６】
前記二次電池監視回路は、前記通知信号又は前記動作状態通知信号に基づき、前記カウントしたそれぞれの検出回数を前記不揮発性メモリに記録することを特徴とする請求項５に記載の保護監視回路。
【請求項７】
前記保護回路は、前記二次電池監視回路と接続される第１の通信端子と、前記負荷との通信端子に接続される第２の通信端子と、前記第１の通信端子と前記第２の通信端子とを接続する回路とを有し、
前記回路は、前記二次電池監視回路と前記負荷との間の通信信号を通過させることを特徴とする請求項１乃至６のいずれか一項に記載の保護監視回路。
【請求項８】
前記負荷との通信端子と前記第２の通信端子との間に接続される抵抗を備えることを特徴とする請求項７に記載の保護監視回路。
【請求項９】
請求項１乃至８のいずれか一項に記載の保護監視回路を備えることを特徴とする電池パック。
【請求項１０】
二次電池の過充電、過放電、及び過電流のうち少なくとも一つを検出して、前記二次電池の充放電制御を行う保護回路に接続され、前記二次電池の電池残量を算出し、前記二次電池の過充電、過放電、及び過電流のうち少なくとも一つを検出し、検出結果に応じて、前記保護回路に前記二次電池の充放電制御を行わせるための制御信号を出力する二次電池監視回路であって、
前記保護回路が検出した二次電池の過充電、過放電、及び過電流のそれぞれの検出に対応する信号を前記保護回路から取得してカウントし、カウントしたそれぞれの検出回数を保持し、前記検出回数が所定回数を超えた場合に、前記保護回路に対して前記制御信号を出力することを特徴とする二次電池監視回路。
【請求項１１】
前記保護回路に対して、前記二次電池と負荷又は充電装置との間に設けられた充電制御トランジスタ又は放電制御トランジスタを強制的にオフさせる前記制御信号を出力することを特徴とする請求項１０に記載の二次電池監視回路。
【請求項１２】
不揮発性メモリを有し、
前記保護回路から、前記二次電池の充放電、過放電、及び過電流のいずれか一つを検出した旨を通知する通知信号を受信すると、前記検出した旨又は前記動作状態を示す情報を前記不揮発性メモリに記録することを特徴とする請求項１０又は１１に記載の二次電池監視回路。
【請求項１３】
前記通知信号又は前記動作状態通知信号に基づき、前記カウントしたそれぞれの検出回数を前記不揮発性メモリに記録することを特徴とする請求項１２に記載の二次電池監視回路。
【請求項１４】
二次電池の電池残量を算出し、前記二次電池の過充電、過放電、及び過電流のうち少なくとも一つを検出し、検出結果に応じて、当該保護回路に前記二次電池の充放電制御を行わせるための制御信号を出力し、当該保護回路による制御状態を記憶する不揮発性メモリを有する二次電池監視回路に接続され、前記二次電池の充放電制御を行う保護回路であって、
前記二次電池監視回路から出力された前記制御信号に応じて、前記二次電池と負荷又は充電装置との間に設けられた充電制御トランジスタ又は放電制御トランジスタを強制的にオフさせることを特徴とする保護回路。
【請求項１５】
前記二次電池監視回路に対して、前記二次電池の過充電、過放電、及び過電流のいずれか一つを検出した旨を通知する通知信号を出力することを特徴とする請求項１４に記載の保護回路。
【手続補正２】
【補正対象書類名】明細書
【補正対象項目名】００１１
【補正方法】変更
【補正の内容】
【００１１】
上記目的を達成するため、本発明は、二次電池（１１０）の過充電、過放電、及び過電流のうち少なくとも一つを検出して、前記二次電池（１１０）の充放電制御を行う保護回路（１３０）と、前記二次電池（１１０）の電池残量を算出し、前記二次電池の過充電、過放電、及び過電流のうち少なくとも一つを検出し、検出結果に応じて、前記保護回路（１３０）に前記二次電池の充放電制御を行わせるための制御信号を出力する二次電池監視回路（１２０）と、を有する保護監視回路（１０１）であって、前記二次電池監視回路（１２０）は、前記保護回路（１３０）が検出した二次電池の過充電、過放電、及び過電流のそれぞれの検出に対応する信号を前記保護回路（１３０）から取得してカウントし、カウントしたそれぞれの検出回数を保持し、前記検出回数が所定の回数を超えた場合に、前記保護回路（１３０）に対して前記制御信号を出力することを特徴とする。
【手続補正３】
【補正対象書類名】明細書
【補正対象項目名】００１２
【補正方法】変更
【補正の内容】
【００１２】
また、本発明の保護監視回路（１０１）において、前記保護回路（１３０）は、前記二次電池監視回路（１２０）から出力された制御信号に応じて、前記二次電池と負荷又は充電装置との間に設けられた充電制御トランジスタ又は放電制御トランジスタを強制的にオフ制御することを特徴とする。
【手続補正４】
【補正対象書類名】明細書
【補正対象項目名】００１６
【補正方法】変更
【補正の内容】
【００１６】
また、本発明の保護監視回路（１０１）において、前記二次電池監視回路（１２０）は、前記通知信号又は前記動作状態通知信号に基づき、前記カウントしたそれぞれの検出回数を前記不揮発性メモリ（１２４）に記録することを特徴とする。
【手続補正５】
【補正対象書類名】明細書
【補正対象項目名】００１７
【補正方法】削除
【補正の内容】
【手続補正６】
【補正対象書類名】明細書
【補正対象項目名】００２１
【補正方法】変更
【補正の内容】
【００２１】
また、本発明は、二次電池（１１０）の過充電、過放電、及び過電流のうち少なくとも一つを検出して、前記二次電池（１１０）の充放電制御を行う保護回路（１３０）に接続され、前記二次電池（１１０）の過充電、過放電、及び過電流のうち少なくとも一つを検出し、検出結果に応じて、前記保護回路（１３０）に前記二次電池（１１０）の充放電制御を行わせるための制御信号を出力する二次電池監視回路（１２０）であって、前記保護回路（１３０）が検出した二次電池の過充電、過放電、及び過電流のそれぞれの検出に対応する信号を前記保護回路から取得してカウントし、カウントしたそれぞれの検出回数を保持し、前記検出回数が所定回数を超えた場合に、前記保護回路に対して前記制御信号を出力することを特徴とする。
【手続補正７】
【補正対象書類名】明細書
【補正対象項目名】００２２
【補正方法】変更
【補正の内容】
【００２２】
また、本発明の二次電池監視回路（１２０）は、前記保護回路（１３０）に対して、前記二次電池と負荷又は充電装置との間に設けられた充電制御トランジスタ又は放電制御トランジスタを強制的にオフさせる前記制御信号を出力することを特徴とする。
【手続補正８】
【補正対象書類名】明細書
【補正対象項目名】００２４
【補正方法】変更
【補正の内容】
【００２４】
また、本発明の二次電池監視回路（１２０）は、前記通知信号又は前記動作状態通知信号に基づき、前記カウントしたそれぞれの検出回数を前記不揮発性メモリ（１２４）に記録することを特徴とする。
【手続補正９】
【補正対象書類名】明細書
【補正対象項目名】００２５
【補正方法】変更
【補正の内容】
【００２５】
また、本発明は、二次電池（１１０）の電池残量を算出し、前記二次電池（１１０）の過充電、過放電、及び過電流のうち少なくとも一つを検出し、検出結果に応じて、当該保護回路（１３０）に前記二次電池（１１０）の充放電制御を行なわせるための制御信号を出力し、当該保護回路による制御状態を記憶する不揮発性メモリ（１２４）を有する二次電池監視回路（１２０）に接続され、前記二次電池（１１０）の充放電制御を行う保護回路（１３０）であって、前記二次電池監視回路（１２０）から出力された前記制御信号に応じて、前記二次電池と負荷又は充電装置との間に設けられた充電制御トランジスタ又は放電制御トランジスタを強制的にオフさせることを特徴とする。